(57)【要約】【課題】皮下に埋め込まれるアクセス装置において、アクセスポートを容易に確認できる手段を提供する。【解決手段】アクセス装置１０は、針を穿刺可能なセプタム２２を有する本体１１と、本体１１のセプタム２２の周囲に設けられた発光部材２２と、を具備する。アクセス対象１０が皮下に埋め込まれた状態において、体外からＵＶライト３１の紫外線光が照射されることによって、セプタム２２の周囲で発光部材２３が発光するので、皮膚３０の上方からセプタム２２の位置を容易に視認できる。【選択図】図３
2015213595.tif 000002
【特許請求の範囲】
【請求項１】
皮下に埋め込まれるアクセス装置であって、
針を穿刺可能なアクセスポートを有する本体と、
上記本体のアクセスポートの周囲に設けられた発光部材と、を具備するアクセス装置。
【請求項２】
条規発効部材は、紫外線が照射されることによって発光するものである請求項１に記載のアクセス装置。
【請求項３】
上記本体の両端にそれぞれ接続された人工血管を更に具備する請求項１又は２に記載のアクセス装置。
【発明の詳細な説明】
【技術分野】
【０００１】
本発明は、皮下に埋め込まれて血管と接続されるアクセス装置に関する。
【背景技術】
【０００２】
腎不全に対する治療として血液透析が知られている。血液透析は、中空糸を有する人工腎臓に血液を通過させて濾過することにより、本来、腎臓で血液中から除去されるべき老廃物や水分を除去するものである。透析患者の血液を人工腎臓に循環させるために、透析患者のシャント血管に針が穿刺される。
【０００３】
シャント血管は、例えば腕の静脈と動脈とを吻合するこにより形成される。シャント血管を形成することによって、動脈の血流量が低下して心臓に負担がかかる。このような心臓への負担に耐えられないと想定される場合には、腕の動脈を皮膚近くまで表在化したり、動脈にアクセス装置を接続したりする（特許文献１）。
【先行技術文献】
【特許文献】
【０００４】
【特許文献１】特開２０１３−２７５８０号公報
【発明の概要】
【発明が解決しようとする課題】
【０００５】
全てが皮下に埋め込まれるアクセス装置は、アクセスポートを介する感染のリスクは低減されるが、アクセスポートが皮下に存在するために確認がし難く、アクセスポート以外に針を刺してしまうというミスが生じやすい。そのため、在宅透析では感染症や穿刺ミスのリスクが増大することが予想される。そこで、簡便な操作で識別可能なアクセスポートが所望されている。
【０００６】
本発明は、前述された事情に鑑みてなされたものであり、その目的は、皮下に埋め込まれるアクセス装置において、アクセスポートを容易に確認できる手段を提供することにある。
【課題を解決するための手段】
【０００７】
(1)  本発明は、皮下に埋め込まれるアクセス装置に関する。本アクセス装置は、針を穿刺可能なアクセスポートを有する本体と、上記本体のアクセスポートの周囲に設けられた発光部材と、を具備する。
【０００８】
アクセスポートの周囲で発光部材が発光するので、アクセスポートの位置を容易に視認できる。
【０００９】
(2)  上記発光部材は、紫外線が照射されることによって発光するものであってもよい。
【００１０】
これにより、アクセスポートの位置の確認が必要なときにのみ、Ｘ線照射装置や画像撮影装置などの大がかりな装置を用いることなく、簡易な操作で発光部材を発光させることができる。
【００１１】
(3)  上記アクセス装置は、上記本体の両端にそれぞれ接続された人工血管を更に具備するものであってもよい。
【００１２】
人工血管を介して、アクセス装置を血管に接続することができる。
【発明の効果】
【００１３】
本発明によれば、皮下に埋め込まれるアクセス装置において、アクセスポートを容易に確認できる。
【図面の簡単な説明】
【００１４】
【図１】図１は、実施形態に係るアクセス装置１０を示す斜視図である。
【図２】図２は、図１のＩＩ−ＩＩ断面を示す断面図である。
【図３】図３は、皮下に埋め込まれた状態のアクセス装置１０を示す断面図である。
【発明を実施するための形態】
【００１５】
以下、本発明の好ましい実施形態を説明する。なお、本実施形態は本発明の一実施態様にすぎず、本発明の要旨を変更しない範囲で実施態様を変更できることは言うまでもない。
【００１６】
図１及び図２に示されるように、アクセス装置１０は、本体１１と、人工血管１２と、を具備する。アクセス装置１０は、透析治療などを行う患者の腕などの皮下に埋め込まれて血管に接続され、その血管へ採血又は返血のためにアクセスすることを目的として使用される。
【００１７】
本体１１は、概ね円筒形状の部材であり、例えば医療用ステンレス製やチタン製である。なお、本体１１の素材は特に限定されず、例えば本体１１がポリテトラフルオロエチレン（ＰＴＦＥ）などの樹脂製であってもよい。本体１１の両端はそれぞれ開口しており、これら開口を連続するように内部空間２０が形成されている。本体１１の円周壁２１の一部に円形の開口が形成されており、その開口により本体１１の外部と内部空間２０とが連続している。その開口には、シリコン樹脂製のセプタム２２が充填されている。セプタム２２は、円周壁２１の開口の内径と同等ないし若干大きい外径の円盤形状であり、当該開口に充填されることにより当該開口を封止している。セプタム２２は、血液回路と接続された針を穿刺でき、針を抜くと弾性により穿刺孔が閉じる弾性体である。円周壁２１の開口に充填されたセプタム２２がアクセスポートに相当する。
【００１８】
本体１１の円周壁２１の開口の周縁には、円環形状の発光部材２３が設けられている。発光部材２３は、例えば発光性のアクリル樹脂などの紫外線が照射されることにより発光する素材からなる。なお、発光部材２３の素材としては公知の発光素材が採用され得る。発光部材２３は、円周壁２１の外面において、セプタム２２の縁に沿って円環形状に囲むように配置されている。
【００１９】
本体１１の両端には、人工血管１２がそれぞれ接続されている。人工血管１２は、例えばポリテトラフルオロエチレン（ＰＴＦＥ）製のチューブである。人工血管１２の内部空間は、本体１１の内部空間２０と連続している。本実施形態では、本体１１の両端に、それぞれ１本の直線形状の人工血管１２が接続されているが、これら人工血管１２の形状は特に限定されず、例えばＹ字状に分岐した人工血管１２が本体１１に接続されてもよい。
【００２０】
［アクセス装置１０の使用］
以下、アクセス装置１０の使用方法が説明される。アクセス装置１０は、透析患者の腕などの皮下に埋め込まれて用いられる。アクセス装置１０の埋め込み術は公知の手法による。詳細には、腕などの皮膚３０が切開されて、アクセス対象の血管が露出される。アクセス装置１０の人工血管１２の一方が血管の上流側に接続され、人工血管１２の他方が血管の下流側に接続される。その後、切開箇所が縫合されて、アクセス装置１０が皮下に埋め込まれる。なお、アクセス対象の血管に既に人工血管が接続されているときには、その人工血管に、アクセス装置１０の人工血管１２を接続してもよい。
【００２１】
血液透析などにおいて、アクセス装置１０に針を穿刺するときには、図３に示されるように、アクセス装置１０が埋め込まれている辺りの皮膚３０の上方からＵＶライト３１が皮膚３０へ向かって照射される。ＵＶライト３１から出射された紫外線光は、皮膚３０を透過してアクセス装置１０の発光部材２３へ到達する。発光部材２３は、紫外線光を受けて発光する。発光部材２３が発光することにより、皮膚３０の上方からアクセス装置１０のセプタム２２の周囲が目視確認できる。したがって、発光部材２３による円環形状の発光箇所の内側において、採血又は返血用の注射針を皮膚３０に穿刺することにより、アクセス装置１０のセプタム２２へ注射針を確実に穿刺することができる。
【００２２】
［本実施形態の作用効果］
前述されたアクセス装置１０によれば、皮下に埋め込まれた状態において、ＵＶライト３１が照射されることにより発光部材２３が発光するので、セプタム２２の位置が容易に確認できる。また、人工血管１２を介してアクセス装置１０を患者の血管に容易に接続する
【００２３】
［変形例］
前述された実施形態では、アクセス装置１０は１つのセプタム２２を有するが、例えば、採血用及び返血用の２つのセプタム２２が独立した流路として設けられていてもよい。すなわち、それぞれにセプタム２２が設けられた２つの本体１１が並列されており、各本体１１にＹ字形状の人工血管１２が接続されてもよい。
【００２４】
また、前述された実施形態では、発光部材２３は、紫外線が照射されることによって発光するが、これに代えて、赤外線が照射されることによって可視光を発光するフォスファなどが発光部材として用いられてもよい。また、発光部材を発光させるためのＵＶライドや赤外線照射装置は、光線による被爆を極力抑えるために、光線をオン、オフを繰り返すパルスとして照射させてもよい。
【符号の説明】
【００２５】
１０  アクセス装置
１１  本体
１２  人工血管
２２  セプタム（アクセスポート）
２３  発光部材
【図１】
2015213595.tif 000003
【図２】
2015213595.tif 000004
【図３】
2015213595.tif 000005